(57)【要約】【課題】透光カバーにおける光ムラを低減することができる照明器具を提供する。【解決手段】照明器具２は、第１の発光部５４と、第１の発光部５４を囲むように配置された第２の発光部５６と、第１の発光部５４に対向するように配置され、第１の発光部５４からの光を透過させる透光カバー２０と、透光カバー２０を囲むように配置され、第２の発光部５６からの光が入射し、入射した光を外部に出射する導光板１６と、透光カバー２０が取り付けられる取付部材１８であって、平面視で導光板１６の一部を覆うように配置され、透光性を有する材料で形成された取付部材１８とを備える。【選択図】図６
2019207845.tif 000002
【特許請求の範囲】
【請求項１】
第１の発光部と、
前記第１の発光部を囲むように配置された第２の発光部と、
前記第１の発光部に対向するように配置され、前記第１の発光部からの光を透過させる透光カバーと、
前記透光カバーを囲むように配置され、前記第２の発光部からの光が入射し、入射した光を外部に出射する導光板と、
前記透光カバーが取り付けられる取付部材であって、平面視で前記導光板の一部を覆うように配置され、透光性を有する材料で形成された取付部材と、を備える
照明器具。
【請求項２】
前記導光板は、
一端部から他端部に向けて開口径が拡大するように形成され、光を前記一端部から前記他端部に向けて導く湾曲部と、
前記湾曲部の前記一端部に形成され、前記第２の発光部からの光が入射する入射部と、
前記湾曲部の前記他端部から径方向外側に延びて平面視で環状に形成され、前記湾曲部からの光が出射する出射部と、を有し、
前記取付部材は、前記湾曲部の内周面を覆うように配置されている
請求項１に記載の照明器具。
【請求項３】
前記照明器具は、さらに、
前記第１の発光部及び前記第２の発光部を支持する第１の筐体と、
切り欠き部を有し、前記湾曲部の外周面を覆うように配置された環状の反射部材と、
前記切り欠き部に配置され、前記反射部材を前記第１の筐体に固定する固定部材と、を備え、
前記第１の発光部は、前記反射部材の周方向に沿って環状に配置された複数の発光素子を有し、
前記複数の発光素子の一部は、前記切り欠き部に隣接して配置されている
請求項２に記載の照明器具。
【請求項４】
前記照明器具は、さらに、前記第１の筐体を支持し、前記第１の筐体の一部を外部に露出させるように配置された第２の筐体を備える
請求項３に記載の照明器具。
【請求項５】
前記照明器具は、さらに、前記透光カバーを前記取付部材に対して回動させることにより、前記透光カバーを前記取付部材に係合させる係合機構を備える
請求項１〜４のいずれか１項に記載の照明器具。
【請求項６】
前記係合機構は、
前記取付部材に形成された環状の取付部と、
前記取付部に形成され、前記取付部の周方向に沿って延び、長手方向における一端部が開口された第１の溝部と、
前記取付部に形成され、前記第１の溝部の前記長手方向における他端部から前記周方向に沿って延び、前記第１の溝部よりも幅の狭い第２の溝部と、
前記透光カバーに形成され、前記取付部に向けて突出する係合部と、を有し、
前記透光カバーを前記取付部材に対して回動させることにより、前記係合部は、前記第１の溝部の前記一端部から前記他端部まで移動した後に、前記第２の溝部に係合される
請求項５に記載の照明器具。
【請求項７】
前記取付部は、前記第１の発光部から前記取付部に向かう方向に拡径するテーパ面を有する
請求項６に記載の照明器具。
【請求項８】
前記照明器具は、さらに、前記取付部材の外周部に取り付けられ、透光性を有する材料で形成された環状のシール部材を備え、
前記シール部材は、前記導光板と前記取付部材との間をシールし、且つ、前記取付部材と前記透光カバーとの間をシールする
請求項１〜７のいずれか１項に記載の照明器具。
【請求項９】
前記照明器具は、さらに、前記第１の発光部及び前記第２の発光部に電気的に接続された回路部を備え、
前記第１の発光部は、前記回路部を囲むように配置され、
前記回路部は、前記第１の発光部からの光を遮らないように配置されている
請求項１〜８のいずれか１項に記載の照明器具。
【請求項１０】
前記照明器具は、さらに、
前記取付部材の外周部に隣接して配置されたセンサと、
前記センサに電気的に接続され、前記取付部材と前記導光板との間に配置されたフレキシブル基板と、を備える
請求項１〜９のいずれか１項に記載の照明器具。
【発明の詳細な説明】
【技術分野】
【０００１】
本発明は、室内等を照明するための照明器具に関する。
【背景技術】
【０００２】
室内等を照明するための照明器具の一つとして、シーリングライトが知られている（例えば、特許文献１参照）。シーリングライトは、室内の天井に取り付けられる器具本体と、器具本体に支持された発光モジュールと、発光モジュールに対向するように器具本体に取り付けられた透光カバーとを備えている。透光カバーは、発光モジュールからの光を拡散させる。
【先行技術文献】
【特許文献】
【０００３】
【特許文献１】特開２０１６−１８６９０１号公報
【発明の概要】
【発明が解決しようとする課題】
【０００４】
しかしながら、上述した従来のシーリングライトでは、透光カバーにおいて光ムラが発生するという課題が生じる。
【０００５】
本発明は、このような課題に鑑みてなされたものであり、透光カバーにおける光ムラを低減することができる照明器具を提供することを目的とする。
【課題を解決するための手段】
【０００６】
上記課題を解決するために、本発明の一態様に係る照明器具は、第１の発光部と、前記第１の発光部を囲むように配置された第２の発光部と、前記第１の発光部に対向するように配置され、前記第１の発光部からの光を透過させる透光カバーと、前記透光カバーを囲むように配置され、前記第２の発光部からの光が入射し、入射した光を外部に出射する導光板と、前記透光カバーが取り付けられる取付部材であって、平面視で前記導光板の一部を覆うように配置され、透光性を有する材料で形成された取付部材と、を備える。
【発明の効果】
【０００７】
本発明の一態様に係る照明器具によれば、透光カバーにおける光ムラを低減することができる。
【図面の簡単な説明】
【０００８】
【図１】実施の形態１に係る照明器具の床面側の外観を示す斜視図である。
【図２】実施の形態１に係る照明器具の天井側の外観を示す斜視図である。
【図３】実施の形態１に係る照明器具を示す分解斜視図である。
【図４】図１のＩＶ−ＩＶ線による、実施の形態１に係る照明器具の断面図である。
【図５】図１のＶ−Ｖ線による、実施の形態１に係る照明器具の断面斜視図である。
【図６】図４の一部を拡大して示す、実施の形態１に係る照明器具の断面図である。
【図７】実施の形態１に係る基板ユニットの表面側を示す図である。
【図８】実施の形態１に係る基板ユニットの裏面側を示す図である。
【図９】実施の形態１に係る化粧カバーの一部を拡大して示す斜視図である。
【図１０】実施の形態１に係る係合機構を拡大して示す斜視図である。
【図１１】実施の形態２に係る照明器具の一部を拡大して示す断面図である。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態１）
以下、実施の形態１に係る照明器具について説明する。
【００１２】
［１−１．照明器具の全体構成］
図１〜図５を参照しながら、実施の形態１に係る照明器具２の全体構成について説明する。図１は、実施の形態１に係る照明器具２の床面側の外観を示す斜視図である。図２は、実施の形態１に係る照明器具２の天井４側の外観を示す斜視図である。図３は、実施の形態１に係る照明器具２を示す分解斜視図である。図４は、図１のＩＶ−ＩＶ線による、実施の形態１に係る照明器具２の断面図である。図５は、図１のＶ−Ｖ線による、実施の形態１に係る照明器具２の断面斜視図である。
【００１３】
照明器具２は、例えば室内を照明するためのシーリングライトであり、室内の天井４（図３参照）に設置される。図１〜図５に示すように、照明器具２は、器具本体６と、アダプタ８と、基板ユニット１０と、レンズカバー１２と、化粧カバー１４（反射部材の一例）と、導光板１６と、取付部材１８と、透光カバー２０とを備えている。
【００１４】
以下、照明器具２の各構成要素について詳細に説明する。なお、以下に示す各図において、Ｚ軸のマイナス側が天井４側、Ｚ軸のプラス側が床面（図示せず）側を表している。また、説明の都合上、図１、図３〜図６及び図９では、照明器具２を通常の使用時の姿勢とは上下逆の姿勢で図示している。
【００１５】
［１−２．器具本体］
まず、図２〜図６を参照しながら、器具本体６について説明する。図６は、図４の一部を拡大して示す、実施の形態１に係る照明器具２の断面図である。
【００１６】
器具本体６は、基板ユニット１０及び導光板１６等を支持するための筐体である。図２〜図６に示すように、器具本体６は、第１の筐体２２と、第２の筐体２４とを有している。
【００１７】
図５及び図６に示すように、第１の筐体２２は、収納部２６と、第１の支持部２８とを有している。収納部２６は、その一端部（天井４側の端部）から他端部（床面側の端部）に向けてラッパ状に広がっている。収納部２６の一端部には、円形状の開口部３０が形成されている。第１の支持部２８は、収納部２６の他端部から径方向外側に延び、ＸＹ平面視で環状に形成されている。第１の支持部２８の内周領域２８ａの床面側の面には、基板ユニット１０の外周部が支持されている。なお、収納部２６の内部には、基板ユニット１０の内周部に実装された複数の第２の回路部品６２（後述する）が収納されている。第１の筐体２２は、例えばアルミニウム板又は鋼板等の板金をプレス加工することによって上述した形状に成形される。
【００１８】
また、図５及び図６に示すように、収納部２６の開口部３０の周縁部には、アダプタ８を保護するための保護カバー３２が固定されている。保護カバー３２は、略円筒状に形成され、アダプタ８を囲むように配置されている。保護カバー３２は、例えば樹脂等の絶縁性材料で形成されている。なお、保護カバー３２の先端部（床面側の端部）における内周面には、環状のリブ３４が形成されている。アダプタ８に電気的に接続されたリード線（図示せず）は、リブ３４に沿って湾曲した状態で、保護カバー３２の内部に収納されている。これにより、リード線が保護カバー３２の先端部から床面側にはみ出して、第１の発光部５４（後述する）からの光を遮るのを抑制することができる。
【００１９】
図５及び図６に示すように、第２の筐体２４は、第２の支持部３６と、側壁部３８とを有しており、第１の筐体２２よりも天井４側に配置されている。第２の支持部３６は、ＸＹ平面視で環状に形成されている。第２の支持部３６の内周部には、円形状の開口部４０が形成されている。第２の支持部３６の床面側の面には、第１の筐体２２の収納部２６の一端部が支持されている。側壁部３８は、その一端部（天井４側の端部）から他端部（床面側の端部）に向けてラッパ状に広がっている。側壁部３８の一端部は、第２の支持部３６の外周部に接続されている。側壁部３８の他端部は、第１の筐体２２の第１の支持部２８の天井４側の面の近傍に配置されている。具体的には、図６に示すように、側壁部３８の他端部と第１の筐体２２の第１の支持部２８との間には、例えば約１〜２ｍｍの大きさの隙間４２が形成されている。また、図２及び図６に示すように、側壁部３８は、第１の筐体２２の第１の支持部２８の外周領域２８ｂを外部に露出させるように配置されている。第２の筐体２４は、例えばアルミニウム板又は鋼板等の板金をプレス加工することによって上述した形状に成形される。
【００２０】
また、図５及び図６に示すように、第２の支持部３６の開口部４０の周縁部には、器具本体６をアダプタ８（後述する）に装着するためのホルダ４４が固定されている。ホルダ４４は、第２の支持部３６の開口部４０の周縁部から床面側に延びており、保護カバー３２の内側に配置されている。後述するように、ホルダ４４の内部には、アダプタ８が着脱自在に嵌合される。
【００２１】
さらに、図２に示すように、第２の支持部３６の天井４側の面には、例えばウレタン等で形成された複数のクッション部材４６が取り付けられている。複数のクッション部材４６は、第２の支持部３６の周方向に沿って間隔を置いて配置されている。後述するようにして照明器具２が天井４に設置された際に、複数のクッション部材４６が器具本体６と天井４との間に挟み込まれることにより、器具本体６のぐらつきが抑制される。
【００２２】
図５及び図６に示すように、第１の筐体２２の収納部２６及び第１の支持部２８と第２の筐体２４の第２の支持部３６及び側壁部３８との間には、基板ユニット１０からの熱を放熱するための空間４８が形成されている。基板ユニット１０からの熱は、第１の筐体２２の第１の支持部２８を介して空間４８内の空気に伝達され、空間４８内の空気により冷却される。基板ユニット１０からの熱との熱交換により加熱された空間４８内の空気は、第２の筐体２４の側壁部３８と第１の筐体２２の第１の支持部２８との間の隙間４２を通して外部に排出される。また、基板ユニット１０からの熱の一部は、第１の筐体２２の第１の支持部２８の内周領域２８ａから外周領域２８ｂに伝達され、外部に露出された外周領域２８ｂから大気中に放熱される。なお、上述した空間４８は、例えばスピーカ等の各種部品を配置するための収納空間として用いてもよい。
【００２３】
［１−３．アダプタ］
次に、図３〜図６を参照しながら、アダプタ８について説明する。アダプタ８は、引っ掛けシーリングボディ５０に器具本体６を着脱自在に取り付けるためのものである。図３に示すように、引っ掛けシーリングボディ５０は、室内の天井４に予め設置されている。
【００２４】
図４〜図６に示すように、アダプタ８は、器具本体６のホルダ４４の内部に着脱自在に嵌合される。また、アダプタ８は、引っ掛けシーリングボディ５０に着脱自在に取り付けられる。なお、説明の都合上、図２及び図４〜図６では、引っ掛けシーリングボディ５０を天井４から取り外した状態で図示している。
【００２５】
照明器具２を室内の天井４に設置する際には、ユーザは、まず、アダプタ８を引っ掛けシーリングボディ５０に取り付ける。その後、ユーザは、アダプタ８が器具本体６のホルダ４４の内部に挿入されるようにして、器具本体６を天井４側に押し上げることにより、ホルダ４４とアダプタ８とを嵌合させる。これにより、器具本体６がアダプタ８及び引っ掛けシーリングボディ５０を介して室内の天井４に取り付けられ、照明器具２が室内の天井４に設置される。
【００２６】
なお、引っ掛けシーリングボディ５０は、室内の天井４の裏側に配置された商用電源（図示せず）に電線（図示せず）を介して電気的に接続されている。照明器具２が室内の天井４に設置されることにより、商用電源からの交流電力が電線及び引っ掛けシーリングボディ５０を介して照明器具２に供給される。
【００２７】
［１−４．基板ユニット］
次に、図３〜図８を参照しながら、基板ユニット１０について説明する。図７は、実施の形態１に係る基板ユニット１０の表面側（床面側）を示す図である。図８は、実施の形態１に係る基板ユニット１０の裏面側（天井４側）を示す図である。
【００２８】
図７及び図８に示すように、基板ユニット１０は、回路部５２と、回路部５２に電気的に接続された第１の発光部５４及び第２の発光部５６とを有している。
【００２９】
回路部５２は、第１の発光部５４及び第２の発光部５６を点灯させるための電力を生成し、且つ、第１の発光部５４及び第２の発光部５６の点灯を制御するための回路ユニットである。図７及び図８に示すように、回路部５２は、基板５８と、複数の第１の回路部品６０と、複数の第２の回路部品６２とを有している。
【００３０】
図７及び図８に示すように、基板５８は、複数の第１の回路部品６０及び複数の第２の回路部品６２を実装するためのプリント配線基板であり、ＸＹ平面視で環状に形成されている。図３〜図６に示すように、基板５８は、保護カバー３２を囲むようにして、第１の筐体２２の第１の支持部２８の床面側の面に支持されている。なお、基板５８としては、例えば、樹脂基板、メタルベース基板、セラミック基板又はガラス基板等を用いることができる。また、基板５８は、リジッド基板に限定されず、フレキシブル基板であってもよい。
【００３１】
図７に示すように、複数の第１の回路部品６０は、基板５８の表面（床面側の面）における内周領域に実装されている。複数の第１の回路部品６０の各々は、表面実装（ＳＭＤ：Ｓｕｒｆａｃｅ  Ｍｏｕｎｔ  Ｄｅｖｉｃｅ）型のチップ部品であり、例えば平滑用コンデンサとして用いられるチップセラミックコンデンサ等を含んでいる。
【００３２】
図８に示すように、複数の第２の回路部品６２は、基板５８の裏面（天井４側の面）における内周領域に実装されている。複数の第２の回路部品６２の各々は、リードスルー実装型のリード部品であり、例えば電解コンデンサ等を含んでいる。図５及び図６に示すように、複数の第２の回路部品６２は、第１の筐体２２の収納部２６の内部に収納されている。
【００３３】
複数の第１の回路部品６０及び複数の第２の回路部品６２は、第１の発光部５４及び第２の発光部５６を点灯させるための電力を生成するための電源回路を構成する。電源回路は、上述した商用電源から電線を介して供給されてきた交流電力を直流電力に変換し、当該直流電力を第１の発光部５４及び第２の発光部５６に供給する。電源回路で生成された直流電力が第１の発光部５４及び第２の発光部５６に供給されることにより、第１の発光部５４及び第２の発光部５６が点灯する。また、複数の第１の回路部品６０及び複数の第２の回路部品６２は、第１の発光部５４及び第２の発光部５６の点灯を制御するための制御回路を構成する。
【００３４】
なお、複数の第１の回路部品６０及び複数の第２の回路部品６２は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいてもよい。
【００３５】
図３〜図６に示すように、回路部５２は、さらに、回路カバー６４を有している。回路カバー６４は、複数の第１の回路部品６０を保護するためのカバーであり、ＸＹ平面視で環状に形成されている。回路カバー６４は、複数の第１の回路部品６０を覆うようにして、基板５８の表面上に支持されている。なお、図５及び図６に示すように、回路カバー６４の内周部は、保護カバー３２の先端部に係合されている。回路カバー６４は、例えばアルミニウム等の金属で形成されている。
【００３６】
上述したように、基板５８の表面には表面実装型の複数の第１の回路部品６０が実装されているので、回路カバー６４の基板５８の表面からの高さを低く抑えることができる。これにより、図６に示すように、回路カバー６４は、第１の発光部５４と透光カバー２０の径中心Ｃとを結ぶ直線６６に干渉しない位置に配置されている。換言すると、回路部５２は、第１の発光部５４からの光を遮らないように配置されている。
【００３７】
第１の発光部５４は、例えば白色光を発するための光源である。図７に示すように、第１の発光部５４は、基板５８と、複数の第１の発光素子６８（発光素子の一例）とを有している。また、第２の発光部５６は、基板５８と、複数の第２の発光素子７０とを有している。
【００３８】
基板５８は、複数の第１の発光素子６８及び複数の第２の発光素子７０を実装するためのプリント配線基板であり、上述した回路部５２の基板５８と共通である。
【００３９】
複数の第１の発光素子６８は、基板５８の表面の外周領域に実装されている。具体的には、複数の第１の発光素子６８は、回路部５２を囲むように、基板５８の周方向に間隔を置いて環状に配置されている。すなわち、第１の発光部５４は、回路部５２を囲むように配置されている。
【００４０】
複数の第２の発光素子７０は、基板５８の表面の外周領域に実装されている。具体的には、複数の第２の発光素子７０は、複数の第１の発光素子６８を囲むように、基板５８の周方向に間隔を置いて環状に配置されている。すなわち、第２の発光部５６は、第１の発光部５４を囲むように配置されている。
【００４１】
第１の発光素子６８及び第２の発光素子７０の各々は、例えば、パッケージ化された表面実装型の白色ＬＥＤ（Ｌｉｇｈｔ  Ｅｍｉｔｔｉｎｇ  Ｄｉｏｄｅ）素子である。すなわち、第１の発光素子６８及び第２の発光素子７０の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００４２】
このように、第１の発光素子６８及び第２の発光素子７０の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子６８及び第２の発光素子７０の各々から白色光が出射される。
【００４３】
なお、本実施の形態では、第１の発光素子６８及び第２の発光素子７０がともに白色光を発するようにしたが、互いに異なる色（波長）の光を発するようにしてもよい。例えば、第１の発光素子６８が白色光を発し、第２の発光素子７０が電球色光を発するようにしてもよい。
【００４４】
［１−５．レンズカバー］
次に、図３〜図６を参照しながら、レンズカバー１２について説明する。レンズカバー１２は、複数の第１の発光素子６８の各々からの光を集光するための光学部材である。
【００４５】
図３に示すように、レンズカバー１２は、ＸＹ平面視で環状に形成され、透光性を有する材料（例えば透明のアクリル樹脂等）で形成されている。図４〜図６に示すように、レンズカバー１２は、複数の第１の発光素子６８を覆うようにして、基板５８の表面上に支持されている。
【００４６】
図６に示すように、レンズカバー１２には、レンズ部７２が形成されている。複数の第１の発光素子６８の各々からの光は、レンズ部７２を透過する。この時、レンズ部７２は、透過する光を集光させながら、光の光軸を偏向させる。具体的には、図６に示すように、レンズ部７２を透過した光の光軸は、照明器具２の中心軸線７４に近付く方向に傾くようになる。なお、照明器具２の中心軸線７４は、透光カバー２０の径中心Ｃを通る、鉛直方向（Ｚ軸方向）に平行な直線である。
【００４７】
［１−６．化粧カバー］
次に、図３〜図６及び図９を参照しながら、化粧カバー１４について説明する。図９は、実施の形態１に係る化粧カバー１４の一部を拡大して示す斜視図である。なお、説明の都合上、図９では、レンズカバー１２、導光板１６、取付部材１８及び透光カバー２０の図示を省略している。
【００４８】
化粧カバー１４は、照明器具２を側方から覆って化粧するためのカバーである。図３に示すように、化粧カバー１４は、ＸＹ平面視で環状に形成されている。化粧カバー１４は、側壁部７６と、反射部７８とを有している。化粧カバー１４は、例えば白色のポリスチレン樹脂等で形成されている。
【００４９】
図４〜図６に示すように、側壁部７６は、一端部（床面側の端部）から他端部（天井４側の端部）に向けてラッパ状に広がっており、照明器具２を側方から覆うように配置されている。反射部７８は、側壁部７６の一端部から化粧カバー１４の径方向内側に向けて湾曲しながら延びており、導光板１６の湾曲部８６（後述する）の外周面（凹面側）を覆うように配置されている。反射部７８は、導光板１６の湾曲部８６に導かれた光を反射する機能を有している。
【００５０】
図９に示すように、反射部７８には、複数の切り欠き部８０が形成されている。複数の切り欠き部８０は、反射部７８の周方向に間隔を置いて配置されている。複数の切り欠き部８０の各々には、ネジ８２（固定部材の一例）を挿通するためのネジ孔（図示せず）が形成されている。ネジ孔に挿通されたネジ８２が、基板ユニット１０の基板５８を介して第１の筐体２２の第１の支持部２８に捻じ込まれることにより、化粧カバー１４が第１の筐体２２の第１の支持部２８に支持される。
【００５１】
図９に示すように、複数の第１の発光素子６８及び複数の第２の発光素子７０は、反射部７８の周方向に沿って環状に配置されている。複数の第１の発光素子６８のうち少なくとも１つの第１の発光素子６８ａは、切り欠き部８０に隣接して配置されている。以下、このような配置の理由について説明する。導光板１６の湾曲部８６のうち切り欠き部８０に対向しない領域に導かれた光は、反射部７８で反射しながら湾曲部８６の内部を進む。一方、導光板１６の湾曲部８６のうち切り欠き部８０に対向する領域に導かれた光は、反射部７８で反射することなく湾曲部８６の内部を進むようになる。そのため、透光カバー２０のうち切り欠き部８０の直下における領域に暗部が形成されやすくなる。本実施の形態では、上述したように、少なくとも１つの第１の発光素子６８ａを切り欠き部８０に隣接して配置することにより、透光カバー２０のうち切り欠き部８０の直下における領域の明るさを補うことができる。
【００５２】
［１−７．導光板］
次に、図１〜図６を参照しながら、導光板１６について説明する。導光板１６は、複数の第２の発光素子７０からの光を室内に導くための光学部材である。
【００５３】
図１〜図３に示すように、導光板１６は、ＸＹ平面視で円形状の開口部８４（図３参照）を有する環状に形成されている。図４〜図６に示すように、導光板１６は、基板ユニット１０の基板５８を介して第１の筐体２２の第１の支持部２８にネジ（図示せず）で取り付けられている。これにより、図１に示すように、導光板１６は、透光カバー２０を囲むように配置されている。
【００５４】
図４〜図６に示すように、導光板１６は、湾曲部８６と、入射部８８と、出射部９０とを有している。導光板１６は、透光性を有する材料、例えば透明のアクリル樹脂等で形成されている。
【００５５】
湾曲部８６は、一端部（天井４側の端部）から他端部（床面側の端部）に向けてラッパ状に湾曲しながら拡径している。すなわち、湾曲部８６は、一端部から他端部に向けて開口径が拡大するように形成されている。湾曲部８６は、光を一端部から他端部に向けて導く。湾曲部８６の外周面（凹面側）は化粧カバー１４の反射部７８により覆われ、湾曲部８６の内周面（凸面側）は取付部材１８（後述する）により覆われている。
【００５６】
入射部８８は、湾曲部８６の一端部の全周に亘って環状に形成されている。入射部８８は、複数の第２の発光素子７０に対向且つ近接する位置に配置されている。複数の第２の発光素子７０の各々からの光は、入射部８８に入射する。
【００５７】
出射部９０は、湾曲部８６の他端部の全周から導光板１６の径方向外側に延び、ＸＹ平面視で環状に形成されている。出射部９０は、化粧カバー１４よりも導光板１６の径方向外側に張り出しており、略水平な姿勢で配置されている。出射部９０の床面側の面は、光が出射する面である。出射部９０の天井４側の面には、例えばドット加工によりプリズム形状が形成されている。
【００５８】
なお、図３及び図６に示すように、出射部９０と化粧カバー１４の反射部７８との間には、環状のシール部材９２が配置されている。シール部材９２は、出射部９０と化粧カバー１４の反射部７８との間の隙間をシールする。これにより、虫又は塵埃等が上記隙間から照明器具２の内部に侵入するのを抑制することができる。
【００５９】
［１−８．取付部材］
次に、図３〜図６及び図１０を参照しながら、取付部材１８について説明する。図１０は、実施の形態１に係る係合機構１１０を拡大して示す斜視図である。なお、説明の都合上、図１０では、導光板１６等の図示を省略している。
【００６０】
取付部材１８は、透光カバー２０を着脱可能に取り付けるための部材である。図３に示すように、取付部材１８は、ＸＹ平面視で環状に形成されている。図４〜図６に示すように、取付部材１８は、一端部（天井４側の端部）から他端部（床面側の端部）に向けてラッパ状に広がっており、基板ユニット１０の基板５８を介して第１の筐体２２の第１の支持部２８にネジ（図示せず）で取り付けられている。これにより、取付部材１８は、導光板１６の湾曲部８６の内周面を覆うように配置されている。取付部材１８は、透光性を有する材料、例えば透明のアクリル樹脂等で形成されている。取付部材１８の全面には、例えばシボ加工が施されている。これにより、取付部材１８を透過した光を拡散させることができる。なお、取付部材１８は透光性を有する材料で形成されているが、これは、例えば取付部材１８の一部を乳白色に形成することにより、取付部材１８に異なる透過度の領域が複数混在する場合も含まれる。
【００６１】
図６及び図１０に示すように、取付部材１８の他端部（外周部）には、取付部材１８の径方向外側に延びる鍔部９４が形成されている。鍔部９４は、取付部材１８の他端部の全周に亘って環状に形成され、ＸＹ平面視で導光板１６の出射部９０の一部を覆うように配置されている。図３及び図６に示すように、鍔部９４の外周部には、環状のシール部材９６が取り付けられている。シール部材９６は、略Ｕ字状の断面形状を有しており、透光性を有する材料、例えば透明のシリコン等で形成されている。シール部材９６は、取付部材１８の鍔部９４と導光板１６の出射部９０との間の隙間をシールし、且つ、取付部材１８の鍔部９４と透光カバー２０との間の隙間をシールする。これにより、虫又は塵埃等が上記隙間から照明器具２の内部に侵入するのを抑制することができる。また、シール部材９６は透光性を有する材料で形成されているので、導光板１６の出射部９０から出射した光は、シール部材９６を透過して室内に照射される。これにより、光のロスを低減することができる。
【００６２】
また、図６及び図１０に示すように、取付部材１８の他端部（外周部）には、さらに、取付部９８が形成されている。取付部９８は、取付部材１８の他端部の全周に亘って環状に形成されており、鍔部９４から床面側に突出している。図６に示すように、取付部９８は、第１の発光部５４から取付部９８に向かう方向に拡径するテーパ面１００（Ｃ面）を有している。仮に、取付部９８にテーパ面１００が形成されていない場合には、第１の発光部５４からの光が取付部９８の直角の角部で散乱することにより、透光カバー２０に輝線が発生する。本実施の形態では、取付部９８にテーパ面１００を形成することにより、上述した光の散乱の発生を抑制して、透光カバー２０に輝線が発生するのを抑制することができる。
【００６３】
図１０に示すように、取付部９８の外周面には、複数組（例えば三組）の第１の溝部１０２及び第２の溝部１０４が形成されている。なお、複数組の第１の溝部１０２及び第２の溝部１０４は、取付部９８の周方向に沿って間隔を置いて配置されている。
【００６４】
第１の溝部１０２は、取付部９８の周方向に沿って長尺状に延びている。第１の溝部１０２の長手方向における一端部１０２ａは、開口されている。第１の溝部１０２の長手方向における一端部１０２ａには第１の突起１０６が形成され、第１の溝部１０２の長手方向における他端部１０２ｂには第２の突起１０８が形成されている。第２の溝部１０４は、第１の溝部１０２の長手方向における他端部１０２ｂから、取付部９８の周方向に沿って長尺状に延びている。第２の溝部１０４の幅（短手方向における大きさ）は、第１の溝部１０２の幅よりも狭い。
【００６５】
なお、上述した取付部９８、第１の溝部１０２及び第２の溝部１０４は、係合機構１１０を構成する。この係合機構１１０により、透光カバー２０を取付部材１８に対して回動させた際に、透光カバー２０を取付部材１８に係合させることができる。透光カバー２０を取付部材１８に係合させる動作については後述する。
【００６６】
［１−９．透光カバー］
次に、図１、図３〜図６及び図１０を参照しながら、透光カバー２０について説明する。透光カバー２０は、第１の発光部５４からの光を拡散（透過）させるための拡散カバーである。透光カバー２０は、透光性を有する材料、例えば乳白色のアクリル樹脂等で形成されている。
【００６７】
図１及び図３に示すように、透光カバー２０は、ＸＹ平面視で円形状に形成されている。図４〜図６に示すように、透光カバー２０は、取付部材１８に着脱可能に取り付けられ、導光板１６の開口部８４（図４参照）を覆うように配置されている。すなわち、透光カバー２０は、第１の発光部５４に対向するように配置されている。なお、導光板１６は、透光カバー２０を囲むように配置されている。
【００６８】
図６及び図１０に示すように、透光カバー２０の開口部には、複数（例えば３個）の係合部１１２が形成されている。複数の係合部１１２は、取付部材１８に形成された複数組の第１の溝部１０２及び第２の溝部１０４に対応して、透光カバー２０の周方向に沿って間隔を置いて配置されている。複数の係合部１１２の各々は、透光カバー２０の径方向内側に（すなわち、取付部材１８の取付部９８に向けて）突出し、且つ、透光カバー２０の周方向に長尺状に延びている。係合部１１２の幅（短手方向における大きさ）は、第１の溝部１０２の幅よりも小さく、且つ、第２の溝部１０４の幅と略同一である。なお、複数の係合部１１２は、上述した係合機構１１０を構成する。
【００６９】
以下、図６及び図１０を参照しながら、透光カバー２０を取付部材１８に係合させる動作について説明する。ユーザは、透光カバー２０を取付部材１８に近付け、係合部１１２と第１の溝部１０２との位置合わせをした後に、透光カバー２０を取付部材１８に対して図１０の矢印１１４で示す方向に回動させる。なお、係合部１１２と第１の溝部１０２との位置合わせを容易に行うことができるように、透光カバー２０及び取付部材１８にそれぞれ目印を付してもよい。
【００７０】
これにより、係合部１１２は、第１の溝部１０２の長手方向における一端部１０２ａに挿通され、第１の溝部１０２の長手方向における一端部１０２ａから他端部１０２ｂまで移動する。この時、係合部１１２は、第１の突起１０６を乗り上げながら第１の溝部１０２の長手方向における一端部１０２ａを通過した後に、第２の突起１０８を乗り上げながら第１の溝部１０２の長手方向における他端部１０２ｂを通過する。これにより、ユーザは、透光カバー２０を取付部材１８に対して回動させた際に、クリック感を得ることができる。
【００７１】
ユーザが透光カバー２０を取付部材１８に対して上記方向にさらに回動させることにより、係合部１１２は、第１の溝部１０２の長手方向における他端部１０２ｂから第２の溝部１０４に移動し、第２の溝部１０４に係合される。これにより、透光カバー２０が取付部材１８に取り付けられ、透光カバー２０と取付部材１８とが互いに係合される。この時、図６に示すように、透光カバー２０の開口部は、取付部材１８の鍔部９４に対向して配置され、導光板１６の出射部９０には接触しない。その結果、透光カバー２０を取付部材１８に対して回動させた際に、導光板１６の出射部９０の表面に摩擦による傷が付くのを抑制することができる。
【００７２】
一方、透光カバー２０を取付部材１８から取り外す際には、ユーザは、透光カバー２０を取付部材１８に対して図１０の矢印１１６で示す方向に回動させる。これにより、係合部１１２は、第２の突起１０８を乗り上げながら、第２の溝部１０４から第１の溝部１０２に移動する。この時、ユーザが誤って透光カバー２０から手を離した場合であっても、係合部１１２が第１の溝部１０２に引っ掛かるため、透光カバー２０が取付部材１８から落下するのを抑制することができる。ユーザが透光カバー２０を取付部材１８に対して上記方向にさらに回動させることにより、係合部１１２は、第１の突起１０６を乗り上げながら、第１の溝部１０２から離脱する。これにより、透光カバー２０が取付部材１８から取り外される。
【００７３】
［１−１０．照明方法］
次に、図６を参照しながら、上述した照明器具２による照明方法について説明する。
【００７４】
回路部５２からの直流電力が第１の発光部５４及び第２の発光部５６に供給されることにより、複数の第１の発光素子６８及び複数の第２の発光素子７０の各々が発光する。
【００７５】
図６に示すように、複数の第１の発光素子６８の各々からの光は、レンズカバー１２のレンズ部７２により集光された後に、透光カバー２０に入射する。透光カバー２０からの光は、拡散されて室内に照射される。また、複数の第１の発光素子６８の各々からの光の一部は、取付部材１８で全反射した後に透光カバー２０に入射する。これにより、光の取り出し効率を高めることができる。
【００７６】
また、複数の第２の発光素子７０の各々からの光は、導光板１６の入射部８８に入射した後に、湾曲部８６へと導かれる。湾曲部８６に導かれた光は、化粧カバー１４の反射部７８で反射しながら出射部９０に向けて導かれる。出射部９０に導かれた光は、出射部９０の天井４側の面に形成されたプリズム形状で反射することにより、出射部９０の床面側の面から出射する。出射部９０からの光は、拡散されて室内に照射される。また、湾曲部８６に導かれた光の一部は、漏れ光として湾曲部８６から取付部材１８に入射する。取付部材１８に入射した光は、取付部材１８を透過して透光カバー２０に入射する。これにより、透光カバー２０における光ムラを低減することができる。
【００７７】
［１−１１．効果］
本実施の形態の照明器具２は、第１の発光部５４と、第１の発光部５４を囲むように配置された第２の発光部５６と、第１の発光部５４に対向するように配置され、第１の発光部５４からの光を透過させる透光カバー２０と、透光カバー２０を囲むように配置され、第２の発光部５６からの光が入射し、入射した光を外部に出射する導光板１６と、透光カバー２０が取り付けられる取付部材１８であって、導光板１６の一部を覆うように配置され、透光性を有する材料で形成された取付部材１８とを備える。
【００７８】
これによれば、取付部材１８は、導光板１６の一部を覆うように配置され、且つ、透光性を有する材料で形成されているので、導光板１６に入射した光の一部は、漏れ光として導光板１６から取付部材１８に入射する。取付部材１８に入射した光は、取付部材１８を透過して透光カバー２０に入射する。これにより、透光カバー２０における光ムラを低減することができる。
【００７９】
さらに、導光板１６は、一端部から他端部に向けてラッパ状に広がり、光を一端部から他端部に向けて導く湾曲部８６と、湾曲部８６の一端部に形成され、第２の発光部５６からの光が入射する入射部８８と、湾曲部８６の他端部から径方向外側に延びて平面視で環状に形成され、湾曲部８６からの光が出射する出射部９０とを有している。取付部材１８は、湾曲部８６の内周面を覆うように配置されている。
【００８０】
これによれば、導光板１６は湾曲部８６を有しているので、導光板１６の径方向における大きさを小さく抑えることができる。
【００８１】
さらに、照明器具２は、第１の発光部５４及び第２の発光部５６を支持する第１の筐体２２と、切り欠き部８０を有し、湾曲部８６の外周面を覆うように配置された環状の化粧カバー１４と、切り欠き部８０に配置され、化粧カバー１４を第１の筐体２２に固定するネジ８２とを備える。第１の発光部５４は、化粧カバー１４の周方向に沿って環状に配置された複数の第１の発光素子６８を有している。複数の第１の発光素子６８のうち一部の第１の発光素子６８ａは、切り欠き部８０に隣接して配置されている。
【００８２】
これによれば、第１の発光素子６８ａを切り欠き部８０に隣接して配置することにより、透光カバー２０のうち切り欠き部８０の直下における領域の明るさを補うことができる。
【００８３】
さらに、照明器具２は、第１の筐体２２を支持し、第１の筐体２２の一部を外部に露出させるように配置された第２の筐体２４を備える。
【００８４】
これによれば、第１の発光部５４及び第２の発光部５６からの熱を、第１の筐体２２から効率良く放熱することができる。
【００８５】
さらに、照明器具２は、透光カバー２０を取付部材１８に対して回動させることにより、透光カバー２０を取付部材１８に係合させる係合機構１１０を備える。
【００８６】
これによれば、透光カバー２０を取付部材１８に確実に取り付けることができる。
【００８７】
さらに、係合機構１１０は、取付部材１８に形成された環状の取付部９８と、取付部９８に形成され、取付部９８の周方向に沿って延び、長手方向における一端部１０２ａが開口された第１の溝部１０２と、取付部９８に形成され、第１の溝部１０２の長手方向における他端部１０２ｂから周方向に沿って延び、第１の溝部１０２よりも幅の狭い第２の溝部１０４と、透光カバー２０に形成され、取付部９８に向けて突出する係合部１１２とを有している。透光カバー２０を取付部材１８に対して回動させることにより、係合部１１２は、第１の溝部１０２の一端部１０２ａから他端部１０２ｂまで移動した後に、第２の溝部１０４に係合される。
【００８８】
これによれば、透光カバー２０を取付部材１８に確実に且つ容易に取り付けることができる。
【００８９】
さらに、取付部９８は、第１の発光部５４から取付部９８に向かう方向に拡径するテーパ面１００を有する。
【００９０】
これによれば、透光カバー２０に輝線が発生するのを抑制することができる。
【００９１】
さらに、照明器具２は、取付部材１８の外周部に取り付けられ、透光性を有する材料で形成された環状のシール部材９６を備える。シール部材９６は、導光板１６と取付部材１８との間をシールし、且つ、取付部材１８と透光カバー２０との間をシールする。
【００９２】
これによれば、虫又は塵埃等が照明器具２の内部に侵入するのを抑制することができる。また、シール部材９６は透光性を有する材料で形成されているので、導光板１６から出射した光は、シール部材９６を透過して室内に照射される。これにより、光のロスを低減することができる。
【００９３】
さらに、照明器具２は、第１の発光部５４及び第２の発光部５６に電気的に接続された回路部５２を備える。第１の発光部５４は、回路部５２を囲むように配置されている。回路部５２は、第１の発光部５４からの光を遮らないように配置されている。
【００９４】
これによれば、透光カバー２０の中央部が暗くなる、いわゆる光の中落ちを低減することができる。
【００９５】
（実施の形態２）
［２−１．照明器具の構成］
次に、図１１を参照しながら、実施の形態２に係る照明器具２Ａの構成について説明する。図１１は、実施の形態２に係る照明器具２Ａの一部を拡大して示す断面図である。なお、本実施の形態では、上記実施の形態１の構成要素と同一の構成要素には同一の符号を付して、その説明を省略する。
【００９６】
図１１に示すように、実施の形態２に係る照明器具２Ａは、上記実施の形態１で説明した構成要件に加えて、センサ１２０を備えている。センサ１２０は、例えば、ａ）室内に人が存在することを検出する人感センサ、ｂ）室内の明るさを検出する明るさセンサ、又は、ｃ）照明器具２Ａの周囲の画像を撮像するためのカメラ機能を有する画像センサ等である。
【００９７】
センサ１２０は、ＸＹ平面視で環状に形成されたハウジング１１８の内部に配置されている。ハウジング１１８は、取付部材１８の鍔部９４に隣接して配置されている。すなわち、センサ１２０は、取付部材１８の他端部（外周部）に隣接して配置されている。センサ１２０は、フレキシブル基板１２２を介して基板ユニット１０の回路部５２と電気的に接続されている。フレキシブル基板１２２は、取付部材１８と導光板１６の湾曲部８６との間に配置されており、導光板１６の湾曲部８６に沿って湾曲されている。なお、係合部１１２と第１の溝部１０２（図１０参照）との位置合わせを容易に行うことができるように、透光カバー２０及びハウジング１１８にそれぞれ目印を付してもよい。あるいは、センサ１２０を目印として用いてもよい。
【００９８】
センサ１２０が画像センサである場合には、画像センサは、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。この場合、ハウジング１１８に赤外線ＬＥＤ（図示せず）を配置することにより、室内を暗視することができる。
【００９９】
また、センサ１２０が画像センサ及び人感センサを含む場合には、人感センサで室内に人を検知した際に、防犯対策として画像センサにより撮像した画像をメモリ等に記憶しておくことができる。
【０１００】
また、センサ１２０が画像センサである場合には、画像センサにより撮像した画像を、防犯対策として表示装置２Ａに内蔵された無線装置によりスマートフォン又はパーソナルコンピュータ等の端末装置に送信してもよい。
【０１０１】
また、画像転送には、上述したフレキシブル基板１２２を用いるのが一般的であるが、フレキシブル基板１２２に代えて例えばリード線等を用いることも可能である。
【０１０２】
［２−２．効果］
本実施の形態の照明器具２Ａは、さらに、取付部材１８の外周部に隣接して配置されたセンサ１２０と、センサ１２０に電気的に接続され、取付部材１８と導光板１６との間に配置されたフレキシブル基板１２２とを備える。
【０１０３】
これによれば、センサ１２０が照明器具２からの光の影響を受けるのを抑制することができる。
【０１０４】
（変形例等）
以上、本発明について実施の形態１及び２に基づいて説明したが、本発明は、上記各実施の形態に限定されるものではない。
【０１０５】
上記各実施の形態では、第１の発光素子６８及び第２の発光素子７０の各実装構造をＳＭＤ構造としたが、これに限定されず、例えばＬＥＤチップを基板５８に直接実装したＣＯＢ（Ｃｈｉｐ  Ｏｎ  Ｂｏａｒｄ）構造であってもよい。この場合、封止部材によって、基板５８上に実装された複数のＬＥＤチップを一括に封止してもよく、あるいは、個別に封止してもよい。また、封止部材には、上述した黄色蛍光体等の波長変換材が含有されていてもよい。
【０１０６】
また、上記各実施の形態では、第１の発光素子６８及び第２の発光素子７０としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１０７】
また、照明器具２（２Ａ）は、例えばマイナスイオンを発生させるためのイオン発生部を備えていてもよい。イオン発生部は、例えば器具本体６の内部に配置されている。イオン発生部は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生部により発生したマイナスイオンは、器具本体６の内部に配置された送風ファン等により器具本体６の外部に吹き出され、室内に拡散される。
【０１０８】
なお、ナノイーは、マイナスイオン単独で存在する場合よりも空気中に長時間（マイナスイオンの約６倍の寿命で）存在することが可能であり、且つ、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内のカーテン又は浮遊塵埃等を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【０１０９】
また、照明器具２（２Ａ）は、有線又は無線によって照明器具２（２Ａ）が受信した音声を出力するスピーカを備えていてもよい。この場合、例えば第１の発光部５４及び第２の発光部５６の点灯に同期してスピーカから音声が出力されるように、スピーカが制御されてもよい。
【０１１０】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１１１】
２，２Ａ  照明器具
１４  化粧カバー（反射部材）
１６  導光板
１８  取付部材
２０  透光カバー
２２  第１の筐体
２４  第２の筐体
５２  回路部
５４  第１の発光部
５６  第２の発光部
６８，６８ａ  第１の発光素子（発光素子）
８０  切り欠き部
８２  ネジ（固定部材）
８６  湾曲部
８８  入射部
９０  出射部
９２，９６  シール部材
９８  取付部
１００  テーパ面
１０２  第１の溝部
１０２ａ  一端部
１０２ｂ  他端部
１０４  第２の溝部
１１０  係合機構
１１２  係合部
１２０  センサ
１２２  フレキシブル基板
【図１】
2019207845.tif 000003
【図２】
2019207845.tif 000004
【図３】
2019207845.tif 000005
【図４】
2019207845.tif 000006
【図５】
2019207845.tif 000007
【図６】
2019207845.tif 000008
【図７】
2019207845.tif 000009
【図８】
2019207845.tif 000010
【図９】
2019207845.tif 000011
【図１０】
2019207845.tif 000012
【図１１】
2019207845.tif 000013